(57)【要約】      （修正有）【課題】水引を外すことなく紙幣を収納することが可能な金封を提供する。【解決手段】少なくとも底部が閉塞されて上端に開口が形成された内袋１６と、内袋１６を巻装してなるとともに、その上部から上側に突出する蓋体１４を有する外装用シート１１と、外装用シート１１に取り付けられた水引等の帯状体１２とを備え、外装用シート１１を取り外すことなく開口から内袋に内容物としての紙幣を収納した後、外装用シート１１における蓋体１４を裏側に折り返して外装用シート１１に貼着することにより開口を閉塞可能としている。【選択図】図１
0003143831.tif 000002
【実用新案登録請求の範囲】
【請求項１】
少なくとも底部が閉塞されて上端に開口が形成された内袋と、
上記内袋を巻装してなるとともに、その上部から上側に突出する蓋体を有する外装用シートと、
上記外装用シートに取り付けられた水引等の帯状体とを備え、
上記外装用シートを取り外すことなく上記開口から内袋に内容物としての紙幣を収納した後、上記外装用シートにおける蓋体を裏側に折り返して上記外装用シートに貼着することにより上記開口を閉塞可能としたこと
を特徴とする金封。
【考案の詳細な説明】
【技術分野】
【０００１】
本考案は、慶弔時に祝儀袋、不祝儀袋として使用される金封に関し、特に水引を外すことなく紙幣を収納する際に好適な金封に関するものである。
【背景技術】
【０００２】
従来より、慶兆時に祝儀、不祝儀袋として用いられる金封は、包み紙に水引をかけ、右上方には熨斗を貼着したものであり、包み紙の折り方としては通常東京折り、大阪折りと呼称される折り方で一般市場に流通している。しかしいずれの折り方のものにあっても、金封の内部に紙幣を入れる際には、いったん水引を外し、包み紙を開いて紙幣を入れ、開いた包み紙を閉じて再び水引をかけていた。
【考案の開示】
【考案が解決しようとする課題】
【０００３】
このような従来の金封における紙幣の挿入時の水引の着脱により、水引の結び目がくずれたり、包み紙に皺がよる等の問題点があった。
【０００４】
そこで本考案は、上述した問題点を解決するために案出されたものであり、その目的とするところは、水引を外すことなく紙幣を収納することが可能な金封を提供することにある。
【課題を解決するための手段】
【０００５】
本考案は、上述した課題を解決するために、少なくとも底部が閉塞されて上端に開口が形成された内袋と、上記内袋に巻装されてなるとともに、その上部から上側に突出する蓋体を有する外装用シートと、上記外装用シートに取り付けられた水引等の帯状体とを備え、上記外装用シートを取り外すことなく上記開口から内袋に内容物としての紙幣を収納した後、上記外装用シートにおける蓋体を裏側に折り返して上記外装用シートに貼着することにより上記開口を閉塞可能としたことを特徴とする。
【考案の効果】
【０００６】
上述した構成からなる本考案では、水引を外すことなく紙幣を収納することが可能となる。
【考案を実施するための最良の形態】
【０００７】
以下、本考案を実施するための最良の形態として、水引を外すことなく紙幣を収納することが可能な金封について、図面を参照しながら詳細に説明する。
【０００８】
本考案は、例えば図１に示すような慶弔時に祝儀袋、不祝儀袋として使用される金封１により具体化される。この金封１は、外装用シート１１と、この外装用シートに取り付けられた水引等の帯状体１２と、外装用シート１１により巻装されてなる内袋１６とを備えている。
【０００９】
外装用シート１１は、その上端において蓋体１４が設けられている。図２は、この外装用シート１１の展開図である。外装用シート１１は、シート体１１ａ〜１１ｃからなる。シート体１１ｃは、シート体１１ｂよりも僅かに幅狭となるように構成されている。これに対してシート体１１ａは、シート体１１ｂと比較して１／４〜１／５程度の幅となるように構成されているが、これに限定されるものではなく、シート体１１ｂ、１１ｃと同一幅で構成されていてもよい。ちなみにシート１１ｃの上端には、略台形状の輪郭からなる蓋体１４ｃが形成されている。
【００１０】
内袋１６は、例えば図３に示すように、少なくとも底部２７が閉塞されて上端に開口２６が形成された袋体として構成される。この内袋１６は、いわゆる封筒の下半分を切り取ることにより得るようにしてもよい。
【００１１】
このような内袋１６を外装用シート１１により巻装する場合には、先ず図４に示すように、シート体１１ｂ上に内袋１６を糊等の接着手段により貼着する。次に、シート体１１ａとシート体１１ｂとの境界２１ａ、シート体１１ｂとシート体１１ｃとの境界２１ｂを折り曲げる。これにより、図５に示すように、シート体１１ａとシート体１１ｃとの重複領域２２が形成される。この重複領域２２をいわゆる糊しろとして活用することとなる。即ち、この重複領域２２に対して糊を塗布することにより、当該重複領域２２を介してシート体１１ａとシート体１１ｃとを糊付けする。内袋１６を外装用シート１１により巻装することが可能となる。
【００１２】
最後に、帯状態１２をこの外装用シート１１に取り付けることにより、図１に示すような金封１が完成することになる。
【００１３】
このような構成からなる金封１に対して、内容物としての紙幣を収納する場合には、図６に示すように、内袋１６に紙幣２９を挿入する。次に、外装用シート１１に取り付けられた蓋体１４を裏側に折り返して外装用シート１１に貼着する。蓋体１４は、シート体１１ａとシート体１１ｃに設けられていることからこれを裏側に折り返した場合には、シート体１１ｂの表面と接触することになる。この状態でこの蓋体１４とシート体１１ｂとを貼着することにより、内袋１６における開口２６を閉塞することが可能となる。
【００１４】
このように、本考案では、実際に紙幣２９を内袋１６内に収納する。内袋１６は底部が閉塞されていることから、収納した紙幣２９が内袋１６の底から抜け出てしまうのを防止することが可能となる。また、紙幣２９を収納する役割を内袋１６に担わせることができるため、外装用シート１１は、単に内袋１６に巻装されていれば足り、底部を閉塞する構成を省略することが可能となる。このため、金封１の１通あたりに必要となる外装用シート１１の面積を減らすことができる。特に外装用シート１１は、特殊な紙媒体を利用することも想定され、通常の封筒に使用される紙と比較して高価になるが、金封１の１通あたりに必要となる外装用シート１１の面積を減らすことが可能な本考案では、かかる点においてコスト的に有利となる。
【００１５】
また、本考案では、内袋１６に形成された開口２６に封をする手段として、あくまで外装用シート１１の上部から上側に突出する蓋体１４を裏側に折り返して当該外装用シート１１に貼着することにより実現する構成としている。即ち、外装用シート１１に貼り付けられる蓋体１４は、その外装用シート１１と同一の紙媒体で構成されていることから、その貼着箇所において違和感を感じさせること無く、見た目にも統一感を与えることが可能となる。内袋１６は極めて安価な紙からなる袋体で構成する場合、仮に当該内袋１６に蓋体を設けてこれを折り返して開口２６を閉塞する構成とした場合には、その貼着箇所が異なる紙媒体が重ね合わせることとなり、見た目にも統一感が生じなくなる。このため、本考案では、特に内袋１６は極めて安価な紙からなる袋体で構成した場合において、より顕著な効果を発揮させることが可能となる。
【００１６】
更に、本考案では、水引等からなる帯状体１２を外すことなく紙幣２９を収納することが可能となることから、収納に伴う労力を極力低減させることができる点においても有用である。
【図面の簡単な説明】
【００１７】
【図１】本考案が適用される金封の外観形状を示す図である。
【図２】本考案が適用される外装用シートの展開図である。
【図３】内袋の構成について説明するための図である。
【図４】本考案が適用される外装用シートの組立て方法について説明するための図である。
【図５】本考案が適用される外装用シートの組立て方法について説明するための他の図である。
【図６】本考案が適用される金封に紙幣を収納した場合について説明するための図である。
【符号の説明】
【００１８】
１  金封
１１  外装用シート
１２  帯状体
１４  蓋体
１６  内袋
２１  境界
２２  重複領域
２６  開口
２７  底部
２９  紙幣
【図１】
0003143831.tif 000003
【図２】
0003143831.tif 000004
【図３】
0003143831.tif 000005
【図４】
0003143831.tif 000006
【図５】
0003143831.tif 000007
【図６】
0003143831.tif 000008